【手続補正書】
【提出日】平成16年5月26日(2004.5.26)
【手続補正１】
【補正対象書類名】特許請求の範囲
【補正対象項目名】全文
【補正方法】変更
【補正の内容】
【特許請求の範囲】
【請求項１】
高分子炭水化物材料（ＰＣＭ）を修飾する方法であって、化学基を含む炭水化物リンカー分子（ＣＬＭ）を用いて、所望の機能性を有する化学基を前述の炭水化物材料に結合させる工程を含み、前述のリンカー分子はＰＣＭと結合することができるものである方法。
【請求項２】
以下の工程
（ｉ）  所望の機能性を有する化学基を含む炭水化物ポリマー断片（ＣＰＦ）を供給する工程
（ｉｉ）  前述の化学基を含む前述のＣＰＦおよびＳＣＰからなる複合体が形成される条件下で、前述の化学基を含む前記のＣＰＦを可溶性炭水化物ポリマー（ＳＣＰ）と接触させる工程、ここに前述のＣＰＦおよびＳＣＰは一緒になって炭水化物リンカー分子（ＣＬＭ）を形成するものであり、次いで
（ｉｉｉ）  前述の複合体がＰＣＭに結合して修飾された高分子炭水化物材料が得られる条件下において、前述の複合体とＰＣＭを接触させて修飾する工程
を含む請求項１に記載の方法。
【請求項３】
修飾される高分子炭水化物材料が水不溶性の多糖類である請求項２の方法。
【請求項４】
修飾されるＰＣＭが、単子葉植物および双子葉植物からなる群から選択される植物由来である請求項１もしくは２の方法。
【請求項５】
単子葉植物がイネ科に属する植物である請求項４の方法。
【請求項６】
双子葉植物が被子植物（硬木）、針葉樹（軟木）およびワタ類に属する植物からなる群より選択される請求項４の方法。
【請求項７】
ＰＣＭがセルロース系植物繊維の形態である請求項１〜６のいずれか１項の方法。
【請求項８】
ＰＣＭがセルロース系植物繊維もしくは細菌由来のセルロースミクロフィブリルの形態である請求項１〜６のいずれか１項の方法。
【請求項９】
ＳＣＰが修飾されるＰＣＭの一部を形成している請求項１〜８のいずれか１項の方法。
【請求項１０】
ＳＣＰが修飾されるＰＣＭと結合していない請求項１〜８のいずれか１項の方法。
【請求項１１】
ＳＣＰがヘミセルロース、キシログルカン、ペクチンおよびデンプンからなる群より選択される成分を含む請求項９または１０の方法。
【請求項１２】
炭水化物ポリマー断片（ＣＰＦ）が、請求項１１で定義されたＳＣＰ由来の、２から約５０００のポリマー骨格単糖からなる断片である請求項１〜１０のいずれか１項の方法。
【請求項１３】
ＣＰＦがキシログルカン由来である請求項１２の方法。
【請求項１４】
ＣＰＦが３から約１００の１０ポリマー骨格単糖から請求項１３の方法。
【請求項１５】
工程（ｉｉ）において、化学基を含む前述のＣＰＦと、少なくとも前述のＳＣＰの一部からなる複合体の形成を促進することができる酵素の存在下において、化学基を含む前述のＣＰＦが前述の可溶性高分子炭水化物（ＳＣＰ）と接触させられる請求項１〜１４のいずれか１項の方法。
【請求項１６】
酵素が元のもしくは化学的に修飾された単糖もしくはオリゴ糖をオリゴ糖もしくは多糖に転移することができる請求項１５の方法。
【請求項１７】
酵素が糖転移活性を持つ酵素である請求項１５の方法。
【請求項１８】
適切なグリコシル基供与基質とともに、単糖、オリゴ糖もしくは多糖受容基質の存在下および非存在下において、酵素活性の保持に適した条件下で、酵素を検定したとき、供与基質への受容基質の取り込み速度が少なくとも加水分解速度の１０％、たとえば少なくとも１５％、２０％、２５％、３０％、４０％、５０％もしくは７５％、たとえば少なくとも１００％である請求項１６もしくは１７の方法。
【請求項１９】
グリコシル基供与基質がキシログルカンであり、受容基質がキシログルカンオリゴ糖である請求項１８の方法。
【請求項２０】
検定が下記工程
ｉ）  ２００μｌの４０ｍＭクエン酸バッファー、ｐＨ５．５中、０．１ｍｇのキシログルカン、０．１ｍｇのキシログルカンオリゴ糖（ＸＸＸＧ、ＸＬＸＧ、ＸＸＬＧおよびＸＬＬＧ＝１５：７：３２：４６）を３０℃で３０分間インキュベートする工程
ｉｉ）  １００μｌの１Ｍ  ＨＣｌで反応を停止する工程
ｉｉｉ）  ８００μの２０％Ｎａ２ＳＯ４および２００μｌのＩ２（０．５％Ｉ２、１％ＫＩ、ｗ／ｗ）溶液を添加することによりイオン強度を調製する工程
ｉｖ）  ６２０ｎｍの吸光度を測定する工程
ｖ）  ｉ）の工程において、キシログルカンオリゴ糖（ＸＧＯ）を添加せずにｉ）からｉｖ）の工程を行う工程
ｖｉ）  ＸＧＯ有りのインキュベートと、ＸＧＯなしのインキュベートとの間の吸光度の増加をパーセントで計算する工程
からなる請求項１８〜１９のいずれか１項の方法。
【請求項２１】
前述の酵素がトランスグルコシラーゼ、糖質加水分解酵素、糖転移酵素からなる群より選択される請求項１６〜２０のいずれか１項の方法。
【請求項２２】
前述の酵素が野生型の酵素、もしくは野生型の酵素由来の機能的および／または構造的に修飾された酵素である請求項１６〜２１のいずれか１項の方法。
【請求項２３】
酵素がキシログルカンエンドトランスグリコシダーゼ（ＸＥＴ、ＥＣ  ２．４．１．２０７）である請求項１６〜２２のいずれか１項の方法。
【請求項２４】
糖転移活性を有する酵素がアブラナ科およびハコヤナギ科に属する植物を含む植物由来である請求項１６〜２３のいずれか１項の方法。
【請求項２５】
糖転移活性を持つ酵素が組み替え的に作られた請求項１６〜２４のいずれか１項の方法。
【請求項２６】
所望の機能性を有する化学基が、イオン性基、疎水性基、電荷を有しない親水性基、高反応性基、求核試薬、重合可能な単量体、発色基、蛍光基、ビオチン、放射性同位体、フリーラジカル前駆体、安定フリーラジカル骨格、タンパク質およびタンパク質結合試薬からなる群から選択される、請求項１〜２１のいずれか１項の方法。
【請求項２７】
化学基がアミン基である請求項２６の方法。
【請求項２８】
化学基がフリーラジカル前駆体である請求項２６の方法。
【請求項２９】
化学基が安定フリーラジカル骨格である請求項２６の方法。
【請求項３０】
化学基が重合反応のための単量体である前記いずれかの請求項の方法。
【請求項３１】
化学基がフリーラジカル重合反応の開始剤である前記いずれかの請求項の方法。
【請求項３２】
未修飾材料と比較して、修飾された高分子炭水化物材料（ＰＭＣ）の表面の性質が変化する請求項１〜３１のいずれか１項の方法。
【請求項３３】
未修飾材料と比較して、修飾された高分子炭水化物材料（ＰＭＣ）の強度が変化する請求項１〜３１のいずれか１項の方法。
【請求項３４】
未修飾材料と比較して、修飾された高分子炭水化物材料（ＰＭＣ）の撥水性が変化する請求項１〜３１のいずれか１項の方法。
【請求項３５】
リンカー基が請求項９〜１１のいずれか１項で定義されるＳＣＰからなる請求項１に記載の方法。
【請求項３６】
請求項１〜３５の方法のいずれか１項によって得られる修飾された高分子炭水化物材料（ｍＰＣＭ）であって、所望の機能性を有した化学基を結合したものであり、前述の結合はＰＣＭと結合することのできる炭水化物リンカー分子によって媒介されているものである材料。
【請求項３７】
セルロース系植物繊維、または植物もしくは細菌由来のセルロースミクロフィブリルの形態で存在する請求項３６の材料。
【請求項３８】
化学基が、他の機能性を持つ基と結合することができる反応性基である請求項３６もしくは３７の材料。
【請求項３９】
２つもしくはそれ以上の異なる種類の化学基が結合した請求項３６〜３８のいずれか１項の材料。
【請求項４０】
化学基が、フリーラジカル前駆体、安定フリーラジカル骨格、重合反応のための単量体およびフリーラジカル重合の開始剤からなる群から選択される、請求項３６〜３９のいずれかに記載の材料。
【請求項４１】
請求項３６〜３９のいずれか１項の材料を含む複合材料。
【請求項４２】
請求項４０の材料の重合反応により得られるグラフト重合体材料。
【請求項４３】
紙および段ボール製品の製造における、請求項３６〜３９のいずれか１項の材料、もしくは請求項４１の複合材料の使用。
【請求項４４】
診断もしくは化学検査もしくは加工における、助剤としての請求項３６〜３９のいずれか１項の材料、もしくは請求項４１の複合材料の使用。
【請求項４５】
紙シート、段ボール、織物、診断もしくは化学分析もしくは処理における助剤、液体および食品の包装材、紙および段ボール、布地、セキュリティー紙、紙幣、追跡可能な書類、充てん剤、積層材、パネル製品、放射線強化木材、プラスティック複合材、アロイポリマーおよびブレンドポリマー、またはセルロース誘導体（セルロース系材料）の製造における請求項４２のグラフト重合体材料の利用。